(57)【特許請求の範囲】
【請求項１】
無線データパケットの送信方法であって、
少なくとも２つのＶＨＴロングトレーニングフィールド（ＶＨＴ−ＬＴＦ）を含むナルデータパケット（ＮＤＰ）を受信側へ送信するステップと、
少なくとも１つの受信側がサポート可能なＶＨＴ−ＬＴＦの個数に応じて、ＶＨＴ−ＬＴＦの最大個数を確定するステップと
を含み、
少なくとも１つの受信側がサポート可能なＶＨＴ−ＬＴＦの個数に応じて、ＶＨＴ−ＬＴＦの最大個数を確定するステップにおいて、受信側が複数である場合、前記最大個数は、各受信側によってサポート可能なＶＨＴ−ＬＴＦの個数のうちの最小値である
ことを特徴とする送信方法。
【請求項２】
少なくとも１つの受信側がサポート可能なＶＨＴ−ＬＴＦの個数に応じて、ＶＨＴ−ＬＴＦの最大個数を確定するステップにおいて、受信側が１つだけである場合、前記最大個数は、前記受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数うち小さい方の値である
ことを特徴とする請求項１に記載の送信方法。
【請求項３】
各受信側によってサポート可能なＶＨＴ−ＬＴＦの個数は、前記受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である
ことを特徴とする請求項１に記載の送信方法。
【請求項４】
ＮＤＰに含まれるＶＨＴ−ＬＴＦの個数と、ＶＨＴ信号Ａフィールド（ＶＨＴ−ＳＩＧ−Ａ）によって示されるＮｓｔｓとを同一にするように設定するステップをさらに含む
ことを特徴とする請求項１〜３のいずれか一項に記載の送信方法。
【請求項５】
前記ＮＤＰは、ロングトレーニングフィールド（Ｌ−ＳＴＦ）と、ショートトレーニングフィールド（Ｓ−ＳＴＦ）と、信号フィールド（Ｌ−ＳＩＧ）と、ＶＨＴ信号Ａフィールド（ＶＨＴ−ＳＩＧ−Ａ）と、ＶＨＴショートトレーニングフィールド（ＶＨＴ−ＳＴＦ）と、少なくとも２つのＶＨＴ−ＬＴＦとから構成される
ことを特徴とする請求項１〜３のいずれか一項に記載の送信方法。
【請求項６】
無線データパケットの送信装置であって、
少なくとも２つのＶＨＴロングトレーニングフィールド（ＶＨＴ−ＬＴＦ）を含むナルデータパケット（ＮＤＰ）を受信側へ送信し、
少なくとも１つの受信側がサポート可能なＶＨＴ−ＬＴＦの個数に応じて、ＶＨＴ−ＬＴＦの最大個数を確定し、受信側が複数である場合、前記最大個数は、各受信側によってサポート可能なＶＨＴ−ＬＴＦの個数のうちの最小値である
ことを特徴とする送信装置。
【請求項７】
受信側が１つだけである場合、前記最大個数は、当該受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である
ことを特徴とする請求項６に記載の送信装置。
【請求項８】
各受信側によってサポート可能なＶＨＴ−ＬＴＦの個数は、前記受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である
ことを特徴とする請求項６に記載の送信装置。
【請求項９】
前記ＮＤＰは、ロングトレーニングフィールド（Ｌ−ＳＴＦ）と、ショートトレーニングフィールド（Ｓ−ＳＴＦ）と、信号フィールド（Ｌ−ＳＩＧ）と、ＶＨＴ信号Ａフィールド（ＶＨＴ−ＳＩＧ−Ａ）と、ＶＨＴショートトレーニングフィールド（ＶＨＴ−ＳＴＦ）と、少なくとも２つのＶＨＴ−ＬＴＦとから構成される
ことを特徴とする請求項６〜８のいずれか一項に記載の送信装置。
【発明の詳細な説明】
【技術分野】
【０００１】
本発明は、無線通信技術分野に関し、特に無線データパケットの送信方法及び送信装置に関する。
【背景技術】
【０００２】
無線ローカルエリアネットワーク（ＷＬＡＮ：Ｗｉｒｅｌｅｓｓ  Ｌｏｃａｌ  Ａｒｅａ  Ｎｅｔｗｏｒｋｓ）は、無線通信技術を応用してコンピュータ装置を相互に接続することによって構成された、相互に通信可能で資源共有を実現可能なネットワークシステムである。無線ローカルエリアネットワークの本質は、有線ケーブル接続の方式の代わりに無線接続の方式で、コンピュータとネットワークの相互接続を実現することにあり、これにより、ネットワークの構築と端末の移動がより柔軟になる。
【０００３】
電気電子技術者協会（ＩＥＥＥ：Ｉｎｓｔｉｔｕｔｅ  ｆｏｒ  Ｅｌｅｃｔｒｉｃａｌ  ａｎｄ  Ｅｌｅｃｔｒｏｎｉｃ  Ｅｎｇｉｎｅｅｒｓ）８０２．１１は、現在の無線ローカルエリアネットワークの主要な技術の一つであり、このプロトコルは、主に物理層（ＰＨＹ）とメディアアクセス制御層（ＭＡＣ）の仕様を定めている。移動通信技術の発展及び人々の無線ネットワークに対する需要の増加に伴い、物理層技術仕様は、速度を更に高める方向に向って持続的に発展しており、８０１．１１から８０．２１１ｂ、８０２．１１ａ／ｇ、その後８０２．１１ｎ、最後に８０２．１１ａｃに至るといったの発展過程を経ている。実際の物理技術も直接シーケンススペクトラム拡散技術から直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）技術に発展している。また、ＩＥＥＥ８０２.１１ｎにおいてマルチアンテナ技術が導入され、ＩＥＥＥ８０２.１１ａｃにおいて広帯域幅及びマルチユーザ多入力多出力（ＭＵ−ＭＩＭＯ：Ｍｕｌｔｉ−Ｕｓｅｒ  Ｍｕｌｔｉｐｌｅ  Ｉｎｐｕｔ  Ｍｕｌｔｉｐｌｅ  Ｏｕｔｐｕｔ）が導入されている。
【０００４】
現在のＩＥＥＥ８０２.１１ａｃシステムは、受信側が送信側へチャネル情報をフィードバックする必要がある場合、送信側が受信側へナルデータパケットアナウンスメント（ＮＤＰＡ：Ｎｕｌｌ  Ｄａｔａ  Ｐａｃｋｅｔ  Ａｎｎｏｕｎｃｅｍｅｎｔ）と、ナルデータパケット（ＮＤＰ：Ｎｕｌｌ  Ｄａｔａ  Ｐａｃｋｅｔ）を送信して、ＮＤＰＡにおけるステイション（ＳＴＡ）情報フィールドに対応するアドレスのＳＴＡ（つまり、受信側）がチャネル情報をフィードバックすることを要求すると定めている。
【０００５】
ここで、図１に示すように、ＮＤＰのフォーマットは、ロングトレーニングフィールド（Ｌ−ＳＴＦ）、ショートトレーニングフィールド（Ｓ−ＳＴＦ）、シグナルフィールド（Ｌ−ＳＩＧ）、ＶＨＴ信号Ａフィールド（ＶＨＴ−ＳＩＧ−Ａ（ＶＨＴ：Ｖｅｒｙ  Ｈｉｇｈ  Ｔｈｒｏｕｇｈｐｕｔ））、ＶＨＴショートトレーニングフィールド（ＶＨＴ−ＳＴＦ）、ＶＨＴロングトレーニングフィールド（ＶＨＴ−ＬＴＦ）及びＶＨＴ信号Ｂフィールド（ＶＨＴ−ＳＩＧ−Ｂ）を含む。
【０００６】
従来技術においてはＮＤＰにおけるＶＨＴ−ＬＴＦの数の最大値を確定する方法及び装置が欠乏している。
【発明の概要】
【発明が解決しようとする課題】
【０００７】
本発明が解決しようとする主要な技術的問題は、ＮＤＰにおけるＶＨＴ−ＬＴＦの最大個数を確定することができる、無線データパケットの送信方法及び送信装置を提供することにある。
【課題を解決するための手段】
【０００８】
上記技術的問題を解決するために、本発明に係る無線データパケットの送信方法は、少なくとも２つのＶＨＴロングトレーニングフィールド（ＶＨＴ−ＬＴＦ）を含むナルデータパケット（ＮＤＰ）を受信側へ送信するステップと、少なくとも１つの受信側がサポート可能なＶＨＴ−ＬＴＦの個数に応じて、ＶＨＴ−ＬＴＦの最大個数を確定するステップとを含む。
【０００９】
さらに、少なくとも１つの受信側がサポート可能なＶＨＴ−ＬＴＦの個数に応じて、ＶＨＴ−ＬＴＦの最大個数を確定するステップにおいて、受信側が１つだけである場合、前記最大個数は、前記受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である。
【００１０】
さらに、少なくとも１つの受信側がサポート可能なＶＨＴ−ＬＴＦの個数に応じて、ＶＨＴ−ＬＴＦの最大個数を確定するステップにおいて、受信側が複数である場合、前記最大個数は、各受信側がサポート可能なＶＨＴ−ＬＴＦの個数のうちの最小値である。
【００１１】
さらに、この方法において、各受信側によってサポート可能なＶＨＴ−ＬＴＦの個数は、前記受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である。
【００１２】
さらに、この方法は、ＮＤＰに含まれるＶＨＴ−ＬＴＦの個数と、ＶＨＴ信号Ａフィールド（ＶＨＴ−ＳＩＧ−Ａ）によって示されるＮｓｔｓとを同一するように設定するステップをさらに含む。
【００１３】
さらに、前記ＮＤＰは、ロングトレーニングフィールド（Ｌ−ＳＴＦ）と、ショートトレーニングフィールド（Ｓ−ＳＴＦ）と、信号フィールド（Ｌ−ＳＩＧ）と、ＶＨＴ信号Ａフィールド（ＶＨＴ−ＳＩＧ−Ａ）と、ＶＨＴショートトレーニングフィールド（ＶＨＴ−ＳＴＦ）と、少なくとも２つのＶＨＴ−ＬＴＦとから構成される。
【００１４】
無線データパケットの送信装置は、少なくとも２つのＶＨＴロングトレーニングフィールド（ＶＨＴ−ＬＴＦ）を含むナルデータパケット（ＮＤＰ）を受信側へ送信し、少なくとも１つの受信側がサポート可能なＶＨＴ−ＬＴＦの個数に応じて、ＶＨＴ−ＬＴＦの最大個数を確定する。
【００１５】
さらに、受信側が１つだけである場合、前記最大個数は、当該受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である。
【００１６】
さらに、受信側が複数である場合、前記最大個数は、各受信側によってサポート可能なＶＨＴ−ＬＴＦの個数のうちの最小値であり、各受信側によってサポート可能なＶＨＴ−ＬＴＦの個数は、前記受信側のキャパシティフィールドによって示されるフィードバック行列の送信アンテナ数であるか、受信側のチャネル測定においてサポート可能な最大限の次元数であるか、または、前記送信アンテナ数及び前記最大限の次元数のうち小さい方の値である。
【００１７】
さらに、前記ＮＤＰは、ロングトレーニングフィールド（Ｌ−ＳＴＦ）と、ショートトレーニングフィールド（Ｓ−ＳＴＦ）と、信号フィールド（Ｌ−ＳＩＧ）と、ＶＨＴ信号Ａフィールド（ＶＨＴ−ＳＩＧ−Ａ）と、ＶＨＴショートトレーニングフィールド（ＶＨＴ−ＳＴＦ）と、少なくとも２つのＶＨＴ−ＬＴＦとから構成される。
【００１８】
本発明は、以下のような有利な効果がある。すなわち、本発明に係る無線データパケットの送信方法及び送信装置においては、受信側がサポートできるＶＨＴ−ＬＴＦの個数に応じて、送信されるＮＤＰにおけるＶＨＴ−ＬＴＦの最大個数を確定することで、ＮＤＰにおけるＶＨＴ−ＬＴＦの個数をより合理的な個数とすることができ、受信側の特性をより良く反映させることができる。
【００１９】
本発明に係る無線データパケットの送信方法及び送信装置においては、ＮＤＰは、ロングトレーニングフィールド（Ｌ−ＳＴＦ）と、ショートトレーニングフィールド（Ｓ−ＳＴＦ）と、信号フィールド（Ｌ−ＳＩＧ）と、ＶＨＴ信号Ａフィールド（ＶＨＴ−ＳＩＧ−Ａ）と、ＶＨＴショートトレーニングフィールド（ＶＨＴ−ＳＴＦ）と、少なくとも２つのＶＨＴロングトレーニングフィールド（ＶＨＴ−ＬＴＦ）から構成される。従来技術に比べ、本発明に係る方法及び装置では、ＮＤＰにＶＨＴ信号Ｂフィールド（ＶＨＴ−ＳＩＧ−Ｂ）が存在しないので、送信側から受信側へＮＤＰを送信する場合における、ＮＤＰを送信するためのパイロットの浪費を低減することができる。
【図面の簡単な説明】
【００２０】
【図１】従来のＮＤＰの構成を示す図である。
【図２】本発明の一実施形態におけるＮＤＰの構成を示す図である。
【発明を実施するための形態】
【００２１】
以下、具体的な実施形態により図面を参照して本発明をさらに詳細に説明する。
【００２２】
図１に示すように、プロトコルにおけるＮＤＰは、Ｌ−ＳＴＦ（ロングトレーニングフィールド）と、Ｓ−ＳＴＦ（ショートトレーニングフィールド）と、Ｌ−ＳＩＧ（信号フィールド）と、ＶＨＴ−ＳＩＧ−Ａ（ＶＨＴ信号Ａフィールド）と、ＶＨＴ−ＳＴＦ（ＶＨＴショートトレーニングフィールド）と、ＶＨＴ−ＬＴＦ（ＶＨＴロングトレーニングフィールド）と、ＶＨＴ−ＳＩＧ−Ｂ（ＶＨＴ信号Ｂフィールド）から構成される。
【００２３】
パイロットの浪費を節約するために、図２に示すように、本発明は、受信側へＮＤＰを送信する、無線データパケットの送信方法及び送信装置を提供する。本発明に係る送信方法及び送信装置では、新たなＮＤＰフレーム構造を採用している。当該ＮＤＰは、ロングトレーニングフィールド（Ｌ−ＳＴＦ）と、ショートトレーニングフィールド（Ｓ−ＳＴＦ）と、信号フィールド（Ｌ−ＳＩＧ）と、ＶＨＴ信号Ａフィールド（ＶＨＴ−ＳＩＧ−Ａ）と、ＶＨＴショートトレーニングフィールド（ＶＨＴ−ＳＴＦ）と、少なくとも２つのＶＨＴロングトレーニングフィールド（ＶＨＴ−ＬＴＦ）から構成される。
【００２４】
本発明のフレーム構造と従来技術とを比較すると、１つの主要な差は、ＶＨＴ−ＳＩＧ−Ｂ（ＶＨＴ信号Ｂフィールド）が省略されている点にあることが分かる。従来のＶＨＴ−ＳＩＧ−Ｂ（ＶＨＴ信号Ｂフィールド）は、データ長（Ｌｅｎｇｔｈ）、データの変調符号化階数（ＭＣＳ）、リザーブビット（Ｒｅｓｅｒｖｅｄ）及びテールビット（Ｔａｉｌ）を含む。データ長（Ｌｅｎｇｔｈ）は、プロトコルにおけるＮＤＰ送信パラメータベクトルテーブルによって定義され、ＮＤＰ送信パラメータベクトルテーブルによるデータ長さは０に定義される。
【００２５】
一方、データの変調符号化階数（ＭＣＳ）、リザーブビット（Ｒｅｓｅｒｖｅｄ）及びテールビットＴａｉｌについて、本発明では、それらが、ＶＨＴ信号Ａフィールドにおいて示されるように設計する。下記のテーブルは、ＶＨＴ−ＳＩＧ−Ａにおいて示される内容である。
【００２６】
【表１】
0005684947.tif 000002
【００２７】
これにより理解されるように、ＶＨＴ−ＳＩＧ−Ｂ（ＶＨＴ信号Ｂフィールド）の内容は、既に、ＮＤＰ送信パラメータベクトルテーブル（ＴＸＶＥＣＴＯＲ）及びＶＨＴ信号Ａフィールドにおいて示されている。これにより、本発明においては、ＶＨＴ−ＳＩＧ−Ｂ（ＶＨＴ信号Ｂフィールド）の元の機能の実現を保証することができるだけでなく、ＮＤＰの送信に必要なパイロットの浪費を低減することができる。これにより、本発明のＮＤＰを用いてチャネル測定を行う場合、データの伝送レートを高めることができる。
【００２８】
従来のＮＤＰの構造も、本発明に係るＮＤＰの構造も、ＶＨＴロングトレーニングフィールド（ＶＨＴ−ＬＴＦ）を有している。本発明に係る送信方法及び送信装置は、ＮＤＰを送信する前に、以下のようにしてＶＨＴロングトレーニングフィールドの最大個数を設定する。
【００２９】
少なくとも１つの受信側がサポート可能なＶＨＴロングトレーニングフィールド（ＶＨＴ−ＬＴＦ）の個数に応じて、ＮＤＰに含まれるＶＨＴロングトレーニングフィールド（ＶＨＴ−ＬＴＥ）の個数の最大値を確定する。
【００３０】
ここで、受信側が１つだけである場合、最大値は、当該受信側のキャパシティフィールドによって示されるフィードバック行列の送信アンテナ数であるか、受信側のチャネル測定においてサポート可能な最大限の次元数であるか、または、上記アンテナ数及び上記最大限の次元数のうち小さい方の値である。
【００３１】
例えば、受信側がステイションＳＴＡ１のみであり、ステイションＳＴＡ１のキャパシティフィールドによって示されるフィードバック行列の送信アンテナ数が４であり、当該ステイションのチャネル測定においてサポート可能な最大限の次元数が８である場合、ＶＨＴ−ＬＴＦの個数の最大値は、４、８またはこれらの２つの値のうち小さい方の値に設定される。
【００３２】
受信側が２つ以上である場合、閾値は、各受信側がサポート可能なＶＨＴ−ＬＴＦの個数のうちの最小値である。各受信側によってサポート可能なＶＨＴロングトレーニングフィールド（ＶＨＴ−ＬＴＦ）の個数は、前記受信側のキャパシタフィールドによって示されるフィードバック行列の送信アンテナ数であるか、受信側のチャネル測定においてサポート可能な最大限の次元数であるか、または、上記アンテナ数及び上記最大限の次元数のうち小さい方の値である。
【００３３】
例えば、受信側がＳＴＡ１及びＳＴＡ２を含む２つのステイションであり、ＳＴＡ１が同時測定できるＮＤＰのＶＨＴ−ＬＴＦの個数が４であり、ＳＴＡ２が測定できるＮＤＰのＶＨＴ−ＬＴＦの個数が８である場合、ＮＤＰのＶＨＴ−ＬＴＦの閾値は、４である。
【００３４】
受信側が複数である場合、送信されるＮＤＰにおけるＶＨＴ−ＬＴＦの個数の最大値は、各受信側がサポートできるＶＨＴ−ＬＴＦの個数のうちの最小値である。即ち、送信されるＶＨＴ−ＬＴＦの個数は、ある特定の受信側がサポートできるＶＨＴ−ＬＴＦの個数を超えることはない。最大個数が設定されていない場合、送信されるＶＨＴ−ＬＴＦの個数が８であるのにも関わらず、ある特定の受信側がサポート可能なＶＨＴ−ＬＴＦの個数が４だけである恐れがある。その結果、送信が浪費され、パイロットの浪費が増加する。加えて、必要以上のアルゴリズムにより余分な４つのＶＨＴ−ＬＴＦを処理する必要があるため、送信方法及び送信装置の複雑さが増加する。
【００３５】
前記閾値を設定した後、ＮＤＰに含まれるＶＨＴロングトレーニングフィールドの個数が前記閾値を超えないようにしつつ、ＮＤＰに含まれるＶＨＴロングトレーニングフィールド（ＶＨＴ−ＬＴＦ）の個数と、ＶＨＴ信号Ａフィールド（ＶＨＴ−ＳＩＧ−Ａ）において示されるＮｓｔｓとを同一するように設定する。
【００３６】
以上では、具体的な実施形態を参照して本発明をさらに詳細に説明したが、本発明の具体的な実施形態はこれらの説明のみに限定されるものではない。本発明の思想から逸脱しないという前提の下、当業者が行う若干の簡単な演繹または置換は、本発明の保護範囲以内に含まれるべきである。
【図１】
0005684947.tif 000003
【図２】
0005684947.tif 000004